(57)【要約】      （修正有）【課題】エレベーターの張り車に適用できる清掃装置を提供する。【解決手段】清掃装置２４は、接触部２７と、支持腕２６と、取付け部２５と、を備える。張り車１５は、シーブ１７およびフレーム１８を有する。エレベーターの調速器ロープ１４は、シーブ１７の円周上の溝２１に巻きかけられる。フレーム１８は、シーブ１７を収納する。張り車１５は、エレベーターの運転に伴い上下方向に変位する。接触部２７は、溝２１の内面に上方から接触する。支持腕２６は、一端において接触部２７を支持することで、シーブ１７の回転に伴うシーブ１７の円周方向への接触部２７の移動を抑制する。取付け部２５は、支持腕２６の他端に設けられる。取付け部２５は、フレーム１８の外面を外側から挟み込むことでフレーム１８に取り付けられる。【選択図】図６
2020117339.tif 000002
【特許請求の範囲】
【請求項１】
エレベーターの調速器ロープが円周上の溝に左右の両側から巻きかけられるシーブおよび前記シーブを収納するフレームを有しエレベーターの運転に伴い上下方向に変位する張り車において、前記溝の内面に上方から接触する接触部と、
一端において前記接触部を支持することで前記接触部が前記シーブの円周方向に移動することを抑制する支持腕と、
前記支持腕の他端に設けられ、前記フレームの左側または右側において外面を外側から挟み込むことで前記フレームに取り付けられる取付け部と、
を備えるエレベーターの張り車の清掃装置。
【請求項２】
エレベーターのかごが上昇するときに上方に引き出される前記調速器ロープの部分を覆うロープガイドを前記フレームが備える場合において、前記取付け部は、前記ロープガイドの外面を外側から挟み込むことで前記フレームに取り付けられる
請求項１に記載のエレベーターの張り車の清掃装置。
【請求項３】
前記接触部は、前記シーブの頂部と前記ロープガイドとの間において前記溝の内面に接触する
請求項２に記載のエレベーターの張り車の清掃装置。
【請求項４】
前記接触部の下端部において前記溝の内側面に接触する部分の角度は、前記シーブの回転軸を含む断面における前記溝の内側面の角度より小さい
請求項３に記載のエレベーターの張り車の清掃装置。
【請求項５】
前記接触部の前記ロープガイドに向けられる側の面は、前記溝の内側において上方を向くように傾いている
請求項２から請求項４のいずれか一項に記載のエレベーターの張り車の清掃装置。
【請求項６】
前記接触部の左右方向における厚さは、前記接触部の上方から下方にかけて厚くなるように形成される
請求項５に記載のエレベーターの張り車の清掃装置。
【請求項７】
前記接触部において前記シーブの頂部の側に設けられ、前記接触部によって前記溝から取り除かれた異物を受ける受け皿
を備える
請求項５または請求項６に記載のエレベーターの張り車の清掃装置。
【請求項８】
前記接触部は、前記支持腕から着脱可能である
請求項１から請求項７のいずれか一項に記載のエレベーターの張り車の清掃装置。
【請求項９】
前記接触部は、ゴム弾性を有するゴム部材により形成される
請求項１から請求項８のいずれか一項に記載のエレベーターの張り車の清掃装置。
【請求項１０】
前記取付け部は、各々の軸方向の先端が互いに異なる方向から前記フレームの外面に向けられ当該先端の軸方向の位置が可変な複数の調整部を備え、前記複数の調整部の各々の先端が前記フレームの外面に接触することによって前記フレームに取り付けられる
請求項１から請求項９のいずれか一項に記載のエレベーターの張り車の清掃装置。
【請求項１１】
前記複数の調整部の各々は、前記フレームの外面との接触面積を増加させる押さえ部を先端に備える
請求項１０に記載のエレベーターの張り車の清掃装置。
【発明の詳細な説明】
【技術分野】
【０００１】
本発明は、エレベーターの張り車の清掃装置に関する。
【背景技術】
【０００２】
特許文献１は、エレベーターの巻上機のシーブの清掃装置の例を開示する。清掃装置は、巻上機のシーブより下方のベースに取り付けられる。
【先行技術文献】
【特許文献】
【０００３】
【特許文献１】実開平５−４２２７５号公報
【発明の概要】
【発明が解決しようとする課題】
【０００４】
エレベーターの調速器ロープが巻きかけられる張り車は、エレベーターの運転に伴い上下方向に変位する。しかしながら、特許文献１の清掃装置を張り車の下方に取り付ける場合に、当該清掃装置は、張り車の上下方向の変位に追従しない。このため、当該清掃装置は、張り車の清掃に適用できない。
【０００５】
本発明の目的は、エレベーターの張り車に適用できる清掃装置を提供することである。
【課題を解決するための手段】
【０００６】
本発明に係るエレベーターの張り車の清掃装置は、エレベーターの調速器ロープが円周上の溝に左右の両側から巻きかけられるシーブおよびシーブを収納するフレームを有しエレベーターの運転に伴い上下方向に変位する張り車において、溝の内面に上方から接触する接触部と、一端において接触部を支持することで接触部がシーブの円周方向に移動することを抑制する支持腕と、支持腕の他端に設けられ、フレームの左側または右側において外面を外側から挟み込むことでフレームに取り付けられる取付け部と、を備える。
【発明の効果】
【０００７】
本発明によれば、清掃装置は、接触部と、支持腕と、取付け部と、を備える。張り車は、シーブおよびフレームを有する。エレベーターの調速器ロープは、シーブの円周上の溝に巻きかけられる。フレームは、シーブを収納する。張り車は、エレベーターの運転に伴い上下方向に変位する。接触部は、溝の内面に上方から接触する。支持腕は、一端において接触部を支持することで、シーブの回転に伴うシーブの円周方向への接触部の移動を抑制する。取付け部は、支持腕の他端に設けられる。取付け部は、フレームの外面を外側から挟み込むことでフレームに取り付けられる。これにより、清掃装置は、エレベーターの張り車に適用できる。
【図面の簡単な説明】
【０００８】
【図１】実施の形態１に係るエレベーターの構成図である。
【図２】実施の形態１に係る張り車の斜視図である。
【図３】実施の形態１に係る清掃装置の上面図である。
【図４】実施の形態１に係る清掃装置の正面図である。
【図５】実施の形態１に係る清掃装置の右側面図である。
【図６】実施の形態１に係る清掃装置が取り付けられた張り車の斜視図である。
【図７】実施の形態２に係る清掃装置の正面図である。
【発明を実施するための形態】
【０００９】
本発明を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るエレベーターの構成図である。
【００１１】
エレベーター１は、建築物２に設けられる。建築物２は、複数の階床を備える。エレベーター１において、昇降路３は、建築物２の複数の階床の各々を貫く。エレベーター１において、複数の乗場４の各々は、建築物２の複数の階床の各々に設けられる。エレベーター１において、機械室５は、昇降路３の上部に設けられる。エレベーター１において、ピット６は、昇降路３の下端に設けられる。
【００１２】
エレベーター１は、巻上機７と、主ロープ８と、かご９と、釣合い錘１０と、を備える。巻上機７は、例えば機械室５に設けられる。巻上機７は、モーターと、シーブと、を備える。巻上機７のモーターは、駆動力を発生させる装置である。巻上機７のシーブは、モーターが発生させた駆動力によって回転する装置である。主ロープ８は、巻上機７のシーブに巻きかけられる。主ロープ８は、巻上機７のシーブの回転に追従して移動する部材である。主ロープ８の一端は、例えばかご９に設けられる。主ロープ８の他端は、例えば釣合い錘１０に設けられる。かご９は、主ロープ８の移動に追従して昇降路３の内部を鉛直方向に走行することで、建築物２の複数の階床の間で利用者などを輸送する装置である。かご９は、かご扉１１を備える。かご扉１１は、利用者などがかご９に乗降しうるようにかご９が複数の階のいずれかに停止しているときに開閉する装置である。釣合い錘１０は、昇降路３に設けられる。釣合い錘１０は、主ロープ８を通じて巻上機７のシーブの両側にかかる荷重の釣合いをかご９との間で取る装置である。
【００１３】
エレベーター１は、複数の乗場扉１２を備える。複数の乗場扉１２の各々は、複数の乗場４の各々に設けられる。複数の乗場扉１２の各々は、当該乗場扉１２が設けられる階にかご９が停止しているときにかご扉１１に連動して開閉する装置である。
【００１４】
エレベーター１は、調速器１３と、調速器ロープ１４と、張り車１５と、を備える。調速器１３は、例えば機械室５に設けられる。調速器１３は、かご９が過剰な速度で走行しないようにかご９の速度を制限する装置である。調速器１３は、シーブを備える。調速器ロープ１４は、調速器１３のシーブに巻きかけられる。調速器ロープ１４の両端は、例えばかご９に取り付けられる。
【００１５】
張り車１５は、例えばピット６に設けられる。ピット６において、一対の張り車ガイドレール１６が設けられる。張り車１５は、一対の張り車ガイドレール１６の間に設けられる。張り車１５は、調速器ロープ１４に張力を与える装置である。張り車１５は、シーブ１７と、フレーム１８と、を備える。シーブ１７は、調速器ロープ１４に張力を与えうるように、調速器ロープ１４が巻きかけられる装置である。この例において、シーブ１７の回転軸は、前後方向に向けられる。張り車１５は、一対の張り車ガイドレール１６の間において、シーブ１７が調速器ロープ１４に掛けられることでピット６の床面から浮かせられている。フレーム１８は、シーブ１７を収納する。フレーム１８は、錘１９と、ガイドシュー２０と、を備える。錘１９は、シーブ１７の下方に設けられる。錘１９は、錘１９の重量によってシーブ１７を介して調速器ロープ１４に張力を与える装置である。ガイドシュー２０は、一対の張り車ガイドレール１６に沿って張り車１５が上下方向に変位するように、フレーム１８の左右の両側に設けられる。
【００１６】
エレベーター１の通常運転において、調速器ロープ１４は、かご９の昇降に伴って上下方向に移動する。調速器１３のシーブ１７は、調速器ロープ１４の移動に伴って回転する。調速器１３は、シーブ１７の回転速度が予め設定された回転速度を上回るときに、シーブ１７の回転を制動することによってかご９の走行の速度を制限する。シーブ１７は、調速器ロープ１４の移動に伴って回転する。シーブ１７は、上下方向に移動する調速器ロープ１４から上下方向の力を受ける。このため、張り車１５は、かご９の昇降に伴って一対の張り車ガイドレール１６に沿って上下方向に変位する。
【００１７】
図２は、実施の形態１に係る張り車の斜視図である。
図２において、かご９が上昇するときのシーブ１７の回転方向Ｒが示される。
【００１８】
張り車１５のシーブ１７は、円の外周上に溝２１を有する。調速器ロープ１４は、シーブ１７の溝２１に左右の両側から巻きかけられる。
【００１９】
張り車１５のフレーム１８は、一対のロープガイド２２と、上部カバー２３と、を備える。一対のロープガイド２２の各々は、フレーム１８の左右の両側に設けられる。一対のロープガイド２２の一方は、シーブ１７から引き出される調速器ロープ１４に平行に設けられる。一対のロープガイド２２の他方は、シーブ１７に巻き取られる調速器ロープ１４に平行に設けられる。上部カバー２３は、一対のロープガイド２２の各々の上端にわたって設けられる。上部カバー２３は、シーブ１７の上方に設けられる。
【００２０】
この例において、左側のロープガイド２２は、かご９が上昇するときに下方に巻き取られる調速器ロープ１４の部分Ｄを左側から覆う。右側のロープガイド２２は、かご９が上昇するときに上方に引き出される調速器ロープ１４の部分Ｕを右側から覆う。
【００２１】
ここで、エレベーター１の運転において、塵、埃または調速器ロープ１４の潤滑油などがシーブ１７の溝２１に異物として固着することがある。シーブ１７の溝２１に固着した異物は、調速器ロープ１４に付着する。調速器ロープ１４に付着した異物は、調速器１３まで運ばれる場合がある。このとき、調速器１３まで運ばれた異物が調速器１３に接触することで、調速器１３が通常運転しているかご９の速度を制動してしまう可能性がある。このため、シーブ１７の溝２１に固着した異物を取り除く必要がある。シーブ１７の清掃作業を行う作業員は、図２に図示されない清掃装置２４を用いてシーブ１７の溝２１に固着した異物を取り除く。
【００２２】
続いて、図３から図５を用いて、実施の形態１に係る清掃装置２４の構成を説明する。
図３は、実施の形態１に係る清掃装置の上面図である。
【００２３】
清掃装置２４は、取付け部２５と、支持腕２６と、接触部２７と、を備える。取付け部２５は、上方から見て左側に開くコの字状の部分である。取付け部２５は、前面、右側面および後面の３面の各々に取付け孔２８を有する。支持腕２６は、取付け部２５の右側面から左側に掛けて延びる部分である。取付け部２５は、清掃装置２４の前側に設けられる。取付け部２５と支持腕２６とは、例えば板金加工によって形成される。接触部２７は、支持腕２６の左端において右側の面に設けられる。接触部２７は、例えばビス留めなどによって支持腕２６に着脱可能に取り付けられる。接触部２７は、例えば強化ゴムなどのゴム部材によって形成される。
【００２４】
取付け部２５は、複数の調整部２９を備える。複数の調整部２９の各々は、ボルト３０およびナット３１を備える。ナット３１は、押さえ部の例である。ボルト３０は、取付け部２５が有する複数の取付け孔２８のいずれかに先端を内側に向けて通される。ボルト３０の先端は、調整部２９の先端である。すなわち、複数の調整部２９の各々は、互いに異なる方向を向いて配置される。ボルト３０の先端の軸方向の位置は、回転によって可変である。ナット３１は、取付け部２５の内側において、ボルト３０の先端に設けられる。
【００２５】
図４は、実施の形態１に係る清掃装置の正面図である。
図４において、複数の調整部２９は図示されない。
【００２６】
支持腕２６は、取付け部２５の右側面から、上方に延びる。支持腕２６は、取付け部２５の上方において、左側に直角に折れ曲がる。支持腕２６は、取付け部２５の左方において、下側に傾いて折れ曲がる。支持腕２６は、左端において下方に折れ曲がる。
【００２７】
図５は、実施の形態１に係る清掃装置２４の右側面図である。
図５において、支持腕２６の先端から接触部２７が取り外された状態が示される。図５において、回転軸を含むシーブ１７の断面が示される。図５において、複数の調整部２９は図示されない。
【００２８】
シーブ１７の溝２１は、内側面が角度θ１で外側に開くように設けられる。
【００２９】
接触部２７は、上方から下方にかけて前後方向の幅が狭くなるように形成される。このとき、接触部２７の下端部において溝２１の内側面に接する部分は、角度θ２で上方に開くように設けられる。このとき、角度θ２は、角度θ１より小さい。
【００３０】
続いて、図６を用いて、実施の形態１に係る清掃装置２４による張り車１５の清掃方法を説明する。
図６は、実施の形態１に係る清掃装置が取り付けられた張り車の斜視図である。
【００３１】
この例において、かご９の操作を行う作業員と、ピット６においてシーブ１７の溝２１から異物を取り除く作業を行う作業員との２名の作業員によって清掃作業が行われる。
【００３２】
まず、かご９の操作を行う作業員は、例えば最下階の１つ上の階床にかご９を移動させる。これにより、ピット６において作業員が清掃作業を行う空間が確保される。
【００３３】
その後、ピット６において作業を行う作業員は、張り車１５の上部カバー２３を取り外す。
【００３４】
その後、作業員は、清掃装置２４を例えば次のようにしてフレーム１８に取り付ける。ここで、図６において、上部カバー２３が取り外され、清掃装置２４が取り付けられた状態の張り車１５が図示されている。
【００３５】
まず、作業員は、清掃装置２４の右内側面が右側のロープガイド２２の右外側面に対向して沿うように、右側のロープガイド２２と張り車ガイドレール１６との隙間に清掃装置２４を上方から差し入れる。ここで、右側のロープガイド２２は、かご９が上昇するときに上方に引き出される調速器ロープ１４の部分Ｕを右側から覆っている。
【００３６】
次に、作業員は、接触部２７をシーブ１７の溝２１の内側に上方から差し込む。このとき、作業員は、シーブ１７の頂部Ｔより右側において接触部２７を接触させる。作業員は、シーブ１７の頂部Ｔと右側のロープガイド２２との間において、接触部２７が溝２１に隙間なく接触する位置に清掃装置２４を調整する。ここで、接触部２７の下端が上方に開く角度θ２は、溝２１が外側に開く角度θ１より小さい。接触部２７は上方から溝２１に差し込まれるため、接触部２７は、シーブ１７の頂部Ｔより右側において溝２１に隙間なく接触する。
【００３７】
次に、作業員は、調整した位置に清掃装置２４が固定されるように、ボルト３０を締めることで複数の調整部２９の各々の先端を右側のロープガイド２２の外面に近づける。複数の調整部２９の各々の先端は、互いに異なる方向から右側のロープガイド２２の外面に接触する。調整部２９は、前方向、右方向、および後方向の３方向から右側のロープガイド２２の外面を挟み込む。取付け部２５は、調整部２９が右側のロープガイド２２を挟み込むことによって、フレーム１８に取り付けられる。この例において、取付け部２５は、フレーム１８の内面に接触していない。
【００３８】
次に、作業員は、右側のロープガイド２２の外面に接触するまで、複数の調整部２９の各々のナット３１を先端に移動させる。以上のようにして、作業員は、清掃装置２４をフレーム１８に取り付ける。
【００３９】
その後、ピット６にいる作業員は、かご９を運転する作業員に連絡する。連絡を受けた作業員は、かご９を上昇運転させる。かご９の上昇運転に伴い、シーブ１７は回転する。支持腕２６は、接触部２７を溝２１の内側において支持している。このため、接触部２７は、シーブ１７の回転とともにシーブ１７の円周方向に移動することが抑制される。一方、溝２１に固着している異物はシーブ１７の回転とともにシーブ１７の円周方向に移動する。このため、異物は接触部２７にせき止められることで、溝２１の外に掻き取られる。ここで、かご９を運転する作業員は、ピット６にいる作業員が接触部２７による異物の掻き取りを目視により確認できる速度でかご９を上昇させる。
【００４０】
ピット６にいる作業員は、掻き取られた異物が接触部２７の表面に蓄積したときに、かご９を運転する作業員に連絡する。連絡を受けた作業員は、かご９の上昇運転を停止させる。ピット６にいる作業員は、清掃装置２４をフレーム１８から取り外す。作業員は、接触部２７に蓄積した異物を拭き取る。作業員は、清掃装置２４をフレーム１８に再び取り付ける。
【００４１】
その後、ピット６にいる作業員は、かご９を運転する作業員に連絡する。連絡を受けた作業員は、かご９の上昇運転を再開する。２名の作業員は、以上の手順をシーブ１７が一周するまで繰り返す。
【００４２】
以上に説明したように、実施の形態１に係る清掃装置２４は、接触部２７と、支持腕２６と、取付け部２５と、を備える。張り車１５は、シーブ１７およびフレーム１８を有する。エレベーター１の調速器ロープ１４は、シーブ１７の円周上の溝２１に巻きかけられる。フレーム１８は、シーブ１７を収納する。張り車１５は、エレベーター１の運転に伴い上下方向に変位する。接触部２７は、溝２１の内面に上方から接触する。支持腕２６は、一端において接触部２７を支持することで、シーブ１７の回転に伴うシーブ１７の円周方向への接触部２７の移動を抑制する。取付け部２５は、支持腕２６の他端に設けられる。取付け部２５は、フレーム１８の外面を外側から挟み込むことでフレーム１８に取り付けられる。
【００４３】
清掃装置２４は、張り車１５のフレーム１８に取付けられる。このため、清掃装置２４は、張り車１５の上下方向の変位に追従する。すなわち、シーブ１７の溝２１に接触する接触部２７は、シーブ１７とともに上下方向に変位する。これにより、清掃装置２４は、エレベーター１の張り車１５のシーブ１７の清掃に適用できる。
【００４４】
ここで、エレベーター１のかご９が停止した状態において手作業でシーブ１７の溝２１の異物を取り除く場合、清掃対象となるシーブ１７の位置が上方に露出するように、シーブ１７の位置を複数回調整する必要がある。例えば２名の作業員が連絡を取り合ってかご９の位置の調整によってシーブ１７の位置を調整する場合に、かご９を操作する作業員は、シーブ１７を直接確認できない。このため、かご９の上下方向の移動の繰り返しを要することがある。一方、清掃装置２４は、エレベーター１のかご９の移動に伴うシーブ１７の回転によってシーブ１７の溝２１の異物を取り除く。清掃装置２４は、シーブ１７の回転によって連続的に異物を取り除くので、清掃対象となるシーブ１７の位置に対応してかご９の位置を調整する必要がない。このため、上昇運転および停止のみのかご９の操作によってシーブ１７の溝２１の異物が取り除かれる。したがって、張り車１５の清掃作業がやりやすくなる。
【００４５】
また、エレベーター１のかご９が停止した状態でシーブ１７の溝２１の異物を取り除く場合のシーブ１７の位置の調整において、張り車１５に巻きかけられる調速器ロープ１４を緩めてシーブ１７を回転させることがある。このとき、調速器ロープ１４を緩めるためのジャッキなどの大型の装置をピット６に持ち込む必要がある。一方、清掃装置２４は、ロープガイド２２上に固定できる程度の小型の装置である。このため、大型の装置をピット６に持ち込む必要がない。したがって、張り車１５の清掃作業がやりやすくなる。
【００４６】
また、清掃装置２４は、フレーム１８の外側から取り付けられる。このため、清掃作業において引っかかりなどが生じて清掃装置２４に異常な力がかかる場合に、清掃装置２４は、フレーム１８の外側に外れる。これにより、清掃装置２４に異常な力がかかった場合においても、清掃装置２４またはエレベーター１の機器が損傷する可能性が低くなる。
【００４７】
また、フレーム１８は、ロープガイド２２を備える。ロープガイド２２は、エレベーター１のかご９が上昇するときに上方に引き出される調速器ロープ１４の部分Ｕを覆う。この場合において、取付け部２５は、当該ロープガイド２２の外面を外側から挟み込むことでフレーム１８に取り付けられる。
【００４８】
作業員は、ピット６において清掃作業を行う。このため、清掃作業において、かご９は、ピット６から離れて上昇するように運転される。このとき、ピット６にいる作業員は、シーブ１７から引き出される調速器ロープ１４の部分Ｕの付近において作業を行う。当該作業員は、シーブ１７に巻き取られる調速器ロープ１４の部分Ｄに近づく必要がない。このため、清掃作業の安全性が高くなる。
【００４９】
また、接触部２７は、シーブ１７の頂部Ｔとロープガイド２２との間において溝２１の内面に接触する。当該ロープガイド２２は、エレベーター１のかご９が上昇するときに上方に引き出される調速器ロープ１４の部分Ｕを覆う。
【００５０】
これにより、シーブ１７の回転によって接触部２７が受ける力は、清掃装置２４がフレーム１８の外側に外れる方向に働く。これにより、清掃装置２４に異常な力がかかった場合においても、清掃装置２４またはエレベーター１の機器が損傷する可能性がより低くなる。
【００５１】
また、接触部２７の下端部において溝２１の内側面に接触する部分の角度θ２は、シーブ１７の回転軸を含む断面における溝２１の内側面の角度θ１より小さい。
【００５２】
接触部２７は、シーブ１７の溝２１に上方から差し込まれる。このため、接触部２７の形状は、頂部Ｔから左右にずれた位置において、溝２１の内側面の形状に合う。これにより、接触部２７は、頂部Ｔから左右にずれた位置において、より確実に異物を取り除くことができる。
【００５３】
また、接触部２７は、支持腕２６から着脱可能である。
【００５４】
これにより、調速器ロープ１４の直径、シーブ１７の直径および溝２１の形状などに応じて適切な形状の接触部２７を取り替えて用いることができる。
【００５５】
また、接触部２７は、ゴム弾性を有するゴム部材により形成される。
【００５６】
ゴム弾性による変形によって、接触部２７は、溝２１の内面により密着するようになる。これにより、接触部２７は、より確実に異物を取り除くことができる。また、接触部２７は、ゴム弾性によって変形するので、シーブ１７との摩擦によって発生しうる摺動音を小さくできる。
【００５７】
また、取付け部２５は、複数の調整部２９を備える。複数の調整部２９の各々の軸方向の先端は、互いに異なる方向からフレーム１８の外面に向けられる。複数の調整部２９の各々の先端の軸方向の位置は、可変である。取付け部２５は、複数の調整部２９の各々の先端がフレーム１８の外面に接触することによってフレーム１８に取り付けられる。
【００５８】
取付け部２５は、フレーム１８の外面を押す力によってフレーム１８に取り付けられる。このため、フレーム１８に収納されているシーブ１７から異常な力がかかる場合に、清掃装置２４はフレーム１８の外に外れやすくなる。これにより、清掃装置２４に異常な力がかかった場合においても、清掃装置２４またはエレベーター１の機器が損傷する可能性がより低くなる。また、取付け部２５において、取付け位置の調整が容易になる。
【００５９】
また、複数の調整部２９の各々は、押さえ部を先端に備える。押さえ部は、フレーム１８の外面との接触面積を増加させる。
【００６０】
これにより、取付け部２５は、より大きい接触面積で取り付けられる。このため、正常時において、清掃装置２４は、より安定にフレーム１８に取り付けられる。
【００６１】
なお、接触部２７は、接着またはテープ留めにより支持腕２６に取り付けられてもよい。また、接触部２７は、支持腕２６と一体に形成されてもよい。このとき、接触部２７は、例えば鋼板などの支持腕２６と同じ材料により形成される。
【００６２】
また、清掃装置２４は、落下防止部を備えてもよい。落下防止部は、例えば一端が取付け孔２８などに結び付けられる紐を備える。落下防止部は、紐の他端にクリップを備える。クリップは、例えば張り車ガイドレール１６などに取り付けられる。これにより、清掃装置２４がフレーム１８から外れた場合においても、清掃装置２４がピット６に落下して他の機器などを損傷させる可能性が低くなる。
【００６３】
また、支持腕２６と取付け部２５とは、互いに分離可能であってもよい。このとき、支持腕２６と取付け部２５とは、例えばネジ留めによって組立てられる。取付け部２５および支持腕２６は、接触部２７の位置を調整する機構を有してもよい。当該機構は、例えば、支持腕２６と取付け部２５のネジ留め部分における長穴であってもよい。
【００６４】
実施の形態２．
実施の形態２では、実施の形態１で開示された例と相違する点について詳しく説明する。実施の形態２で説明しない特徴については、実施の形態１で開示された例のいずれの特徴が採用されてもよい。
【００６５】
図７は、実施の形態２に係る清掃装置の正面図である。
【００６６】
清掃装置２４は、実施の形態１で開示された例と同様にフレーム１８に取り付けられる。すなわち、シーブ１７の上部は、右から左に回転する。接触部２７は、シーブ１７の頂部Ｔと右側のロープガイド２２との間において溝２１の内面に接触する。このとき、接触部２７の左側の面は、シーブ１７の頂部Ｔに向けられる。接触部２７の右側の面は、右側のロープガイド２２に向けられる。接触部２７の左側の面は、鉛直面である。接触部２７の右側の面は、上方を向くように傾いている面である。接触部２７は、左右方向における厚さが上方から下方にかけて厚くなるように形成される。
【００６７】
清掃装置２４は、受け皿３２を備える。受け皿３２は、例えば右側の側面が開いている箱状の機器である。受け皿３２は、接触部２７より左側に設けられる。受け皿３２は、支持腕２６に支持される。受け皿３２の右側の底部は、接触部２７の上端より下方に設けられる。支持腕２６は、接触部２７の上端から受け皿３２の底部に通じる開口または切欠きを有する。
【００６８】
張り車１５の清掃作業において、清掃装置２４の接触部２７は、シーブ１７の溝２１から異物を取り除く。このとき、取り除かれる異物は、接触部２７の右側の傾いている面の上に乗り上げる。接触部２７に乗り上げた異物は、新たに溝２１から取り除かれた異物によって、接触部２７の傾いている面に沿って押し上げられる。押し上げられた異物は、接触部２７から受け皿３２に案内される。受け皿３２は、案内された異物を受ける。
【００６９】
以上に説明したように、実施の形態２に係る清掃装置２４において、接触部２７のロープガイド２２に向けられる側の面は、溝２１の内側において上方を向くように傾いている。当該ロープガイド２２は、エレベーター１のかご９が上昇するときに上方に引き出される調速器ロープ１４の部分Ｕを覆う。
【００７０】
これにより、溝２１から取り除かれた異物は、接触部２７の傾斜している面によって上方にガイドされる。このため、溝２１から取り除かれた異物は、接触部２７の前後に溢れない。このため、作業員は、接触部２７に付着した異物を容易にふき取ることができる。
【００７１】
また、接触部２７の左右方向における厚さは、接触部２７の上方から下方にかけて厚くなるように形成される。
【００７２】
これにより、接触部２７の下端部がシーブ１７の回転方向に曲がりにくくなる。このため、接触部２７は、より確実に異物を取り除くことができる。また、接触部２７の傾斜している面が容易に形成される。
【００７３】
また、清掃装置２４は、受け皿３２を備える。受け皿３２は、接触部２７においてシーブ１７の頂部Ｔの側に設けられる。受け皿３２は、接触部２７によって溝２１から取り除かれた異物を受ける。
【００７４】
これにより、溝２１から取り除かれた異物は、受け皿３２に蓄積される。このため、作業員は、接触部２７に付着した異物をふき取る頻度を低くできる。これにより、張り車１５の清掃作業の作業負担が軽くなる。また、溝２１から取り除かれた異物による張り車１５の周囲の汚損が抑えられる。
【００７５】
なお、接触部２７の上下方向の厚さは、一定であってもよい。このとき、接触部２７は、下端部が右下方向を向くように傾いた状態で支持腕２６に支持されてもよい。また、支持腕２６は、左端部が右下方向を向くように傾いていてもよい。
【符号の説明】
【００７６】
１  エレベーター、  ２  建築物、  ３  昇降路、  ４  乗場、  ５  機械室、  ６  ピット、  ７  巻上機、  ８  主ロープ、  ９  かご、  １０  釣合い錘、  １１  かご扉、  １２  乗場扉、  １３  調速器、  １４  調速器ロープ、  １５  張り車、  １６  張り車ガイドレール、  １７  シーブ、  １８  フレーム、  １９  錘、  ２０  ガイドシュー、  ２１  溝、  ２２  ロープガイド、  ２３  上部カバー、  ２４  清掃装置、  ２５  取付け部、  ２６  支持腕、  ２７  接触部、  ２８  取付け孔、  ２９  調整部、  ３０  ボルト、  ３１  ナット、  ３２  受け皿
【図１】
2020117339.tif 000003
【図２】
2020117339.tif 000004
【図３】
2020117339.tif 000005
【図４】
2020117339.tif 000006
【図５】
2020117339.tif 000007
【図６】
2020117339.tif 000008
【図７】
2020117339.tif 000009
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
エレベーターの調速器ロープが円周上の溝に左右の両側から巻きかけられるシーブおよび前記シーブを収納するフレームを有しエレベーターの運転に伴い上下方向に変位する張り車において、前記溝の内面に上方から接触する接触部と、
一端において前記接触部を支持することで前記接触部が前記シーブの円周方向に移動することを抑制する支持腕と、
前記支持腕の他端に設けられ、前記フレームの左側または右側において外面を外側から挟み込むことで前記フレームに取り付けられる取付け部と、
を備えるエレベーターの張り車の清掃装置。
【請求項２】
エレベーターのかごが上昇するときに上方に引き出される前記調速器ロープの部分を覆うロープガイドを前記フレームが備える場合において、前記取付け部は、前記ロープガイドの外面を外側から挟み込むことで前記フレームに取り付けられる
請求項１に記載のエレベーターの張り車の清掃装置。
【請求項３】
前記接触部は、前記シーブの頂部と前記ロープガイドとの間において前記溝の内面に接触する
請求項２に記載のエレベーターの張り車の清掃装置。
【請求項４】
前記接触部の下端部において前記溝の内側面に接触する部分の角度は、前記シーブの回転軸を含む断面における前記溝の両内側面のなす角度より小さい
請求項３に記載のエレベーターの張り車の清掃装置。
【請求項５】
前記接触部の前記ロープガイドに向けられる側の面は、前記溝の内側において上方を向くように傾いている
請求項２から請求項４のいずれか一項に記載のエレベーターの張り車の清掃装置。
【請求項６】
前記接触部の左右方向における厚さは、前記接触部の上方から下方にかけて厚くなるように形成される
請求項５に記載のエレベーターの張り車の清掃装置。
【請求項７】
前記接触部において前記シーブの頂部の側に設けられ、前記接触部によって前記溝から取り除かれた異物を受ける受け皿
を備える
請求項５または請求項６に記載のエレベーターの張り車の清掃装置。
【請求項８】
前記接触部は、前記支持腕から着脱可能である
請求項１から請求項７のいずれか一項に記載のエレベーターの張り車の清掃装置。
【請求項９】
前記接触部は、ゴム弾性を有するゴム部材により形成される
請求項１から請求項８のいずれか一項に記載のエレベーターの張り車の清掃装置。
【請求項１０】
前記取付け部は、各々の軸方向の先端が互いに異なる方向から前記フレームの外面に向けられ当該先端の軸方向の位置が可変な複数の調整部を備え、前記複数の調整部の各々の先端が前記フレームの外面に接触することによって前記フレームに取り付けられる
請求項１から請求項９のいずれか一項に記載のエレベーターの張り車の清掃装置。
【請求項１１】
前記複数の調整部の各々は、前記フレームの外面との接触面積を増加させる押さえ部を先端に備える
請求項１０に記載のエレベーターの張り車の清掃装置。